(57)【要約】【課題】トイレットペーパーの繰り出しを、安定に、容易に、且つ、速やかにさせる。【解決手段】ペーパーホルダは、壁面に固定された固定体と、水平方向を軸方向としてロール型ペーパーを回転可能に保持するペーパー保持部と、当該ロール型ペーパーから引き出された紙を切断する紙切板と、が設けられ、上下方向を軸方向として前記固定体に回転可能に連結された回転体と、を備えている。【選択図】図１
2019025284.tif 000002
【特許請求の範囲】
【請求項１】
壁面に固定された固定体と、
水平方向を軸方向としてロール型ペーパーを回転可能に保持するペーパー保持部と、当該ロール型ペーパーから引き出された紙を切断する紙切板と、が設けられ、上下方向を軸方向として前記固定体に回転可能に連結された回転体と、
を備えたペーパーホルダ。
【請求項２】
前記固定体と前記回転体との間には、前記固定体及び前記回転体に当接された回転制限部材が設けられており、
前記固定体と前記回転制限部材との間、及び前記回転体と前記回転制限部材との間に生じる摩擦力によって、所定値以下の回転力での前記回転体の前記固定体に対する相対回転が制限される請求項１に記載のペーパーホルダ。
【請求項３】
前記回転体は、
内部に前記ペーパー保持部及び前記紙切板を収容し且つ側壁の一部が径方向外側へ開放された筒部と、
前記筒部の上端部を閉塞する上壁と、
を有しており、
前記上壁は、前記筒部の上端部に接続され且つ前記筒部と一体回転可能に構成された外側上壁部と、前記固定体に回転可能に連結された内側上壁部と、を含んで構成され、
前記外側上壁部が、前記回転体の回転方向において、前記内側上壁部に対して所定範囲で相対回転可能に連結されている請求項１又は請求項２に記載のペーパーホルダ。
【発明の詳細な説明】
【技術分野】
【０００１】
本発明は、ペーパーホルダに関する。
【背景技術】
【０００２】
従来、主流のトイレットペーパーホルダは、便座から見て左右壁面、及び、前方壁面にトイレットペーパー繰り出し方向が壁面に直交する形で取り付けられているのが通常である。よって、トイレットペーパーの最適良好な繰り出し方向もトイレットペーパーホルダが取り付られている壁面と直交となることから、使用者が便座に腰掛けた姿勢でトイレットペーパーホルダに直交してトイレットペーパーを繰り出すには姿勢変更に無理や繰り出し操作に困難が生じていた。そのため、子供から大人までの全ての使用者がトイレットペーパー繰り出しの度に不便不具合を強いられているのが現状であった。
【０００３】
そこで、便座に腰掛けた使用者の方向に対面させる取付け冶具にてトイレットペーパーホルダを左右壁面に取り付けることで、トイレットペーパーの繰り出し方向が便座に腰掛けた使用者に対向し、不特定多数の使用者の全てが満足にトイレットペーパーを繰り出せるようにするトイレットペーパーホルダが提案されている（特許文献１参照）。
【先行技術文献】
【特許文献】
【０００４】
【特許文献１】特開２００７−１９５７２５号公報
【発明の概要】
【発明が解決しようとする課題】
【０００５】
しかしながら、特許文献１に記載のトイレットペーパーホルダは、使用者と対向させると、トイレットペーパーホルダは壁面から離れるためトイレットペーパーホルダ自体の外形寸法以上の空間を必要とし、一方、使用後トイレットペーパーホルダを使用者と直行する方向に切り替えると、使用する度に使用者と対向させるための調節を行わなければならないという課題があった。
【０００６】
本発明は、上記事実を考慮して、子供から大人まで全ての使用者がトイレットペーパーの繰り出し時の姿勢変更に無理が生じることなく、トイレットペーパー繰り出しが安定に、容易に、かつ、速やかにでき、また、外形寸法以上の空間を必要としないトイレットペーパーホルダの提供を目的とするものである。
【課題を解決するための手段】
【０００７】
本発明の１又はそれ以上の実施形態は、壁面に固定された固定体と、水平方向を軸方向としてロール型ペーパーを回転可能に保持するペーパー保持部と、当該ロール型ペーパーから引き出された紙を切断する紙切板と、が設けられ、上下方向を軸方向として前記固定体に回転可能に連結された回転体と、を備えたペーパーホルダである。
【０００８】
本発明の１又はそれ以上の実施形態は、前記固定体と前記回転体との間には、前記固定体及び前記回転体に当接された回転制限部材が設けられており、前記固定体と前記回転制限部材との間、及び前記回転体と前記回転制限部材との間に生じる摩擦力によって、所定値以下の回転力での前記回転体の前記固定体に対する相対回転が制限されるペーパーホルダである。
【０００９】
本発明の１又はそれ以上の実施形態は、前記回転体は、内部に前記ペーパー保持部及び前記紙切板を収容し且つ側壁の一部が径方向外側へ開放された筒部と、前記筒部の上端部を閉塞する上壁と、を有しており、前記上壁は、前記筒部の上端部に接続され且つ前記筒部と一体回転可能に構成された外側上壁部と、前記固定体に回転可能に連結された内側上壁部と、を含んで構成され、前記外側上壁部が、前記回転体の回転方向において、前記内側上壁部に対して所定範囲で相対回転可能に連結されているペーパーホルダである。
【発明の効果】
【００１０】
本発明は、子供から大人まで全ての使用者がトイレットペーパーの繰り出し時の姿勢変更に無理が生じることなく、トイレットペーパー繰り出しが安定に、容易、且つ、速やかにできる。また、本発明は、トイレットペーパーホルダの外形寸法以上の空間を必要としない。
【図面の簡単な説明】
【００１１】
【図１】図１は、本実施形態に係るトイレットペーパーホルダを示す正面斜視図である。
【図２】図２は、図１に示されるトイレットペーパーホルダの正面図である。
【図３】図３は、図１に示されるトイレットペーパーホルダの側面図である。
【図４】図４は、図３に示されるトイレットペーパーホルダを示す前側から見た断面図（図３の４−４線断面図）である。
【図５】図５は、図４に示されるトイレットペーパーホルダを示す上側から見た平断面図（図４の５−５線断面図）である。
【図６】図６は、図２に示されるトイレットペーパーホルダを示す左側から見た側断面図（図２の６−６線断面図）である。
【図７】図７は、図４に示されるトイレットペーパーホルダを示す上側から見た一部破断した平断面図（図４の７−７線断面図）である。
【図８】図８は、本実施形態に係るトイレットペーパーホルダの動作例を示す図である。
【図９】図９は、本実施形態に係るトイレットペーパーホルダの変形例の一例を示す。
【図１０】図１０は、本実施形態に係るトイレットペーパーホルダの変形例の他の例を示す正面斜視図である。
【図１１】図１１は、図１０に示されるトイレットペーパーホルダの側面図である。
【図１２】図１２は、図１０に示されるトイレットペーパーホルダの側断面図である。
【発明を実施するための形態】
【００１２】
以下、図１〜図８を用いて、本実施形態に係る「ペーパーホルダ」としてのトイレットペーパーホルダ１０について説明する。トイレットペーパーホルダ１０は、トイレ室内の壁面に設置されて「ロール型ペーパー」としてのトイレットペーパーＴＰ１を回転可能に保持する器具として構成されている。なお、図面において適宜示される矢印ＵＰ、矢印ＦＲ、矢印ＲＨは、トイレットペーパーホルダ１０の上側、前側、右側を示している。そして、以下の説明において、上下、前後、左右の方向を用いて説明するときには、特に断りのない限り、トイレットペーパーホルダ１０の上下、前後、左右を示すものとする。
【００１３】
トイレットペーパーホルダ１０は、トイレ室内の壁面Ｗにトイレットペーパーホルダ１０を固定するための「固定体」としてのベース部材２０と、トイレットペーパーＴＰ１を内部に保持する「回転体」としての回転ホルダ４０と、ベース部材２０に回転ホルダ４０を連結するための連結部材３０と、を含んで構成されている。以下、トイレットペーパーＴＰ１の各構成について説明する。
【００１４】
（ベース部材について）
ベース部材２０は、左右方向から見た側面視で、略逆Ｌ字形状に形成されている。具体的には、ベース部材２０は、前後方向を板厚方向とする略矩形板状の背板２２と、背板２２の上端部から前方側へ突出された上板２４と、を含んで構成されている。そして、背板２２が、複数のねじＳＣによって壁面Ｗに締結固定されている。なお、背板２２を、接着材やフック等によって固定して、両者を一体化してもよい。
【００１５】
また、ベース部材２０は、背板２２の左右両端部から前方側へ延出された側板２６Ｌ，２６Ｒを有している。この側板２６Ｌ，２６Ｒにおける背板２２からの延出量は、上板２４における背板２２からの延出量に比べて小さく設定されており、上板２４の前部が側板２６Ｌ，２６Ｒよりも前方側に突出されている。また、上板２４の前部における外周部分には、平面視で、略半円状を成す円弧部２４Ａが形成されている。さらに、上板２４の外周部には、上板２４から上下に延出されたフランジ部２４Ｂが一体に形成されている。なお、ベース部材２０において側板２６Ｌ，２６Ｒを省略して、ベース部材２０を背板２２及び上板２４によって構成してもよい。
【００１６】
（連結部材について）
連結部材３０は、上下方向を板厚方向とした略円板状に形成されている。連結部材３０は、ベース部材２０の上板２４の下側に配置されており、連結部材３０の上面が上板２４に接合されている。なお、連結部材３０がベース部材２０に接合された状態では、平面視で、円弧部２４Ａの中心と連結部材３０の中心とが一致している。また、連結部材３０の外周下端部には、フランジ３２が一体に形成されており、フランジ３２は、上下方向を板厚方向とした略円環板状に形成されて、連結部材３０から径方向外側へ突出されている。なお、連結部材３０は、上下方向を軸方向とした中空の略円柱状に形成されてもよい。
【００１７】
（回転ホルダについて）
回転ホルダ４０は、上下方向を軸方向とした中空の略円柱状に形成されており、回転ホルダ４０の一部が径方向外側へ開放されている。具体的には、回転ホルダ４０は、内部が収容部４０Ａとされた略円筒状を成す筒部４２と、筒部４２の上端部を閉塞する上壁４４と、筒部４２の下端部を閉塞する下壁４６と、を含んで構成されている。筒部４２には、径方向外側へ開放された開口部４２Ａが形成されている。これにより、収容部４０Ａの内部と回転ホルダ４０の外部とが開口部４２Ａによって連通されている。
【００１８】
また、回転ホルダ４０の上壁４４の中心部には、略円形状の支持孔４４Ａが貫通形成されており、支持孔４４Ａの直径は、連結部材３０の直径に比べて大径で且つフランジ３２の直径に比べて小径に設定されている。そして、回転ホルダ４０が、連結部材３０と同軸上に配置されて、連結部材３０によって回転可能に支持されている。具体的には、支持孔４４Ａの内部に連結部材３０が下側から挿入されて、連結部材３０が上板２４に接合されることで、回転ホルダ４０が、連結部材３０によって回転可能に支持されている。
【００１９】
これにより、回転ホルダ４０が、ベース部材２０に回転可能に連結されている。すなわち、回転ホルダ４０がベース部材２０に対して相対回転することで、回転ホルダ４０の開口部４２Ａの位置が、回転ホルダ４０の回転方向に変位する構成になっている。そして、本実施の形態では、回転ホルダ４０において、開口部４２Ａが前方側へ開放されている位置（図１〜図３に示される位置）を、回転ホルダ４０の初期位置と称する。以下、便宜上、回転ホルダ４０が初期位置に配置された状態として説明する。
【００２０】
回転ホルダ４０の筒部４２における内周部の上部には、径方向内側へ張り出された左右一対の支持部４２Ｂが形成されており、支持部４２Ｂには、ペーパー保持部５０がそれぞれ設けられている。このペーパー保持部５０は、支持部４２Ｂから回転ホルダ４０（筒部４２）の径方向内側へ突出されている（図４に示される位置であり、以下、ペーパー保持部５０のこの位置を「保持位置」と称する）。そして、ペーパー保持部５０の保持位置において、トイレットペーパーＴＰ１の芯の軸方向両端部がペーパー保持部５０に装着されている。これにより、回転ホルダ４０の収容部４０Ａ内において、トイレットペーパーＴＰ１が、左右方向（水平方向）を軸方向として、一対のペーパー保持部５０によって回転可能に保持されている。
【００２１】
なお、ペーパー保持部５０は、前後方向を軸方向として、回転ホルダ４０の支持部４２Ｂに回転可能に支持されると共に、保持位置から上側へ回転可能に構成されている。また、ペーパー保持部５０の保持位置では、ペーパー保持部５０の下側への回転が支持部４２Ｂによって制限されている。さらに、ペーパー保持部５０は、図示しないバネによって下側へ付勢されて、ペーパー保持部５０が保持位置に保持される構成になっている。これにより、トイレットペーパーＴＰ１をペーパー保持部５０に装着するときには、トイレットペーパーＴＰ１によってペーパー保持部５０を上側へ回転させて、ペーパー保持部５０が保持位置へ復帰するときに、トイレットペーパーＴＰ１の芯の内部に、ペーパー保持部５０が挿入されるようになっている。
【００２２】
回転ホルダ４０の内部には、ペーパー保持部５０の上側の位置において、トイレットペーパーＴＰ１から引き出された紙を切断するための紙切板５２が設けられている。この紙切板５２は、側面視で、下側へ開放された略円弧状に湾曲されており、紙切板５２の後端部が、左右方向を軸方向として回転ホルダ４０に回転可能に連結されている。そして、トイレットペーパーＴＰ１がペーパー保持部５０に装着された状態では、紙切板５２の前端部がトイレットペーパーＴＰ１の外周部に当接する。これにより、トイレットペーパーＴＰ１から引き出された紙を、紙切板５２を用いて切断する構成になっている。
【００２３】
なお、前述した筒部４２の開口部４２Ａにおける左右方向の幅寸法は、トイレットペーパーＴＰ１の軸方向の長さよりも大きく設定されている。これにより、トイレットペーパーＴＰ１を、開口部４２Ａから収容部４０Ａ内に挿入して、ペーパー保持部５０に装着可能に構成されている。また、トイレットペーパーＴＰ１から引き出された紙が、開口部４２Ａ内を挿通して、回転ホルダ４０から繰り出されるように構成されている。
【００２４】
また、収容部４０Ａの下部は、予備トイレットペーパーＴＰ２を収納するスペースとして構成されている。具体的には、予備トイレットペーパーＴＰ２が、トイレットペーパーＴＰ１と平行に配置されて、回転ホルダ４０の下壁４６に載置される構成になっている。さらに、回転ホルダ４０の下壁４６の前部には、側面視で略クランク状に上側へ屈曲された段差部４６Ａが形成されている。これにより、収容部４０Ａ内に収容された予備トイレットペーパーＴＰ２の前方側への飛び出しを段差部４６Ａによって防止又は抑制する構成になっている。
【００２５】
一方、回転ホルダ４０の上壁４４には、前端部において、角度調節レバー４４Ｂが一体に形成されている。この角度調節レバー４４Ｂは、上壁４４から下側へ突出されると共に、正面視で、開口部４２Ａの略幅方向中央部に位置している。これにより、使用者が、角度調節レバー４４Ｂを把持して左右に移動させることで、回転ホルダ４０がベース部材２０に対して相対回転する構成になっている。
【００２６】
また、回転ホルダ４０がベース部材２０に連結された状態では、回転ホルダ４０やトイレットペーパーＴＰ１等の自重によって、回転ホルダ４０の上壁４４と連結部材３０のフランジ３２とが当接されている。また、この状態では、回転ホルダ４０の上壁４４とベース部材２０の上板２４との間に隙間が形成されている。この隙間には、回転制限部材５４が設けられている。この回転制限部材５４は、一例として、ウェーブワッシャー等によって構成されて、回転ホルダ４０の上壁４４及びベース部材２０の上板２４に当接されている。これにより、回転制限部材５４と上壁４４との間、及び回転制限部材５４と上板２４との間に摩擦力が生じて、所定値以下の回転力では、回転ホルダ４０のベース部材２０に対する相対回転が当該摩擦力によって制限される構成になっている。すなわち、回転制限部材５４が、所謂トルクリミッタとして機能する部材として構成されている。なお、回転制限部材５４としては、上記構成に限らず、回転制限部材５４を、略円環シート状に形成すると共に、ウレタン、ゴム、シリコン、エラストマ等の比較的摩擦係数の高い部材で構成してもよい。
【００２７】
（作用効果）
次に、図８を用いて、本実施の形態のトイレットペーパーホルダ１０の作用及び効果について説明する。なお、図８では、トイレットペーパーホルダ１０をトイレ室内の壁面Ｗの様々な位置に設置した場合を図示している。具体的には、図８に示される（ａ）の位置では、便座ＴＳに着座した使用者に対して左横にトイレットペーパーホルダ１０が設置され、（ｂ）の位置では、上記使用者に対して左斜め前方にトイレットペーパーホルダ１０が設置され、（ｃ）の位置では、上記使用者に対して前方にトイレットペーパーホルダ１０が設置されている。また、（ｄ）の位置では、上記使用者に対して右斜め前方にトイレットペーパーホルダ１０が設置され、（ｅ）の位置では、上記使用者に対して（ｄ）の位置よりも使用者側の右斜め前方にトイレットペーパーホルダ１０が設置され、（ｆ）の位置では、上記使用者に対して右横にトイレットペーパーホルダ１０が設置されている。
【００２８】
そして、上記のように構成されたトイレットペーパーホルダ１０では、ベース部材２０が壁面Ｗに固定されており、回転ホルダ４０が、上下方向を軸方向として、ベース部材２０に連結部材３０によって回転可能に支持されている。また、回転ホルダ４０には、一対のペーパー保持部５０が設けられており、一対のペーパー保持部５０によってトイレットペーパーＴＰ１が水平方向を軸方向として回転可能に保持されている。
【００２９】
このため、図８に示される各位置にトイレットペーパーホルダ１０を設置した場合でも、回転ホルダ４０の開口部４２Ａを使用者側へ向くように、回転ホルダ４０をベース部材２０に対して相対回転させることで、使用者とトイレットペーパーホルダ１０との対向方向と、トイレットペーパーＴＰ１の回転ホルダ４０からの繰り出し方向と、を略一致させることができる。これにより、便座ＴＳに着座した使用者が、トイレットペーパーＴＰ１を自身の着座位置側へ引き出すことができる。したがって、比較的体格の小さい子供から比較的体格の大きい大人までの全ての使用者に対して、トイレットペーパーＴＰ１の繰り出し時における姿勢変更に無理が生じることなく、トイレットペーパーＴＰ１の繰り出しを、安定に、容易、且つ、速やかにすることができる。また、トイレットペーパーホルダ１０は、回転ホルダ４０をベース部材２０に対して相対回転させることで、使用者とトイレットペーパーホルダ１０との対向方向と、トイレットペーパーＴＰ１の回転ホルダ４０からの繰り出し方向と、を略一致させるので、トイレットペーパーホルダ自体の外形寸法以上の空間を必要としない。
【００３０】
また、回転ホルダ４０の上壁４４とベース部材２０の上板２４との間には、回転制限部材５４が設けられおり、回転制限部材５４が、上壁４４及び上板２４に当接している。このため、回転制限部材５４と回転ホルダ４０（上壁４４）との間、及び回転制限部材５４とベース部材２０（上板２４）との間に摩擦力が生じる。これにより、所定値以下の回転力では、回転ホルダ４０のベース部材２０に対する相対回転が当該摩擦力によって制限される。その結果、例えば、トイレットペーパーＴＰ１を引出方向へ回転させたときに生じる振動等によって、回転ホルダ４０がベース部材２０に対して不用意に相対回転することを抑制または防止することができる。したがって、使用者に対する利便性を向上することができる。
【００３１】
また、本実施の形態では、回転ホルダ４０がベース部材２０に回転可能に連結されている。このため、例えば、トイレットペーパーＴＰ１の不使用時には、回転ホルダ４０を初期位置から１８０度回転させ、開口部４２Ａを背板２２側へ向かせることで、回転ホルダ４０によってトイレットペーパーＴＰ１を外部から視認不能にすることができる。これにより、トイレットペーパーホルダ１０の見栄えを向上することができる。
【００３２】
また、本実施の形態では、ベース部材２０の上端部が、上板２４によって構成されている。このため、上板２４の上面を、使用者の所有物や、予備トイレットペーパーＴＰ２の置き場所として使用することができる。また、トイレットペーパーＴＰ１の回転ホルダ４０からの繰り出し時には、これらの物が必ず目視する場所であるので、置いた物の置き忘れ防止の効果もある。さらに、上板２４の外周部には、上側へ延出されたフランジ部２４Ｂが形成されている。このため、例えば、上板２４の上面を、使用者の所有物等の置き場として利用した場合には、上板２４に置いた物が上板２４から不用意に落下することをフランジ部２４Ｂによって抑制又は防止することができる。
【００３３】
また、本実施の形態では、回転ホルダ４０の上壁４４に下側へ突出された角度調節レバー４４Ｂが設けられている。これにより、使用者が角度調節レバー４４Ｂを把持して、回転ホルダ４０を回転させることで、回転ホルダ４０のベース部材２０に対する相対位置を容易に調整することができる。すなわち、便座ＴＳに着座した使用者に対する回転ホルダ４０の向きを容易に調整することができる。
【００３４】
（変形例）
次に、図９を用いて、変形例のトイレットペーパーホルダ１００について説明する。本変形例では、以下に示す点を除いて、本実施の形態のトイレットペーパーホルダ１０と同様に構成されている。なお、図９では、トイレットペーパーホルダ１０と同様に構成されている部材には、同一の符号を付している。
【００３５】
すなわち、本変形例では、回転ホルダ４０の上壁４４が、径方向に２分割されている。具体的には、上壁４４が、上壁４４の径方向外側部分を構成する外側上壁部１０２と、上壁４４の径方向内側部分を構成する内側上壁部１０４と、を含んで構成されている。外側上壁部１０２は、上下方向を板厚方向とした略円環板状に形成されており、外側上壁部１０２の外周部が、筒部４２の上端部に接続されている。また、外側上壁部１０２の内周部には、径方向内側へ開放された複数の切欠部１０２Ａが形成されており、切欠部１０２Ａは、外側上壁部１０２の周方向に等間隔に配置されている。また、切欠部１０２Ａは、平面視で外側上壁部１０２の周方向に沿って湾曲されている。
【００３６】
一方、内側上壁部１０４は、略円環板状に形成されており、内側上壁部１０４の中央部には、支持孔４４Ａが形成されている。そして、本実施の形態と同様に、支持孔４４Ａ内に連結部材３０が挿入されて、内側上壁部１０４が連結部材３０に回転可能に支持されている。また、内側上壁部１０４の外周部には、外側上壁部１０２の切欠部１０２Ａに対応する複数のストッパ片１０４Ａが形成されており、ストッパ片１０４Ａが平面視で内側上壁部１０４の周方向に湾曲されている。そして、内側上壁部１０４が、外側上壁部１０２の径方向内側に配置されて、外側上壁部１０２が外側上壁部１０２に回転可能に連結されている。
【００３７】
また、内側上壁部１０４の外側上壁部１０２への連結状態では、ストッパ片１０４Ａが切欠部１０２Ａの内部に配置されている。さらに、上壁４４の周方向における、切欠部１０２Ａの幅寸法がストッパ片１０４Ａの幅寸法よりも大きく形成されている。これにより、ストッパ片１０４Ａの幅方向両側には、間隙Ｇが形成されている。そして、外側上壁部１０２が、内側上壁部１０４に対して相対回転したときには、ストッパ片１０４Ａが切欠部１０２Ａの内周面に係合して、外側上壁部１０２の内側上壁部１０４に対する相対回転が制限される構成になっている。すなわち、変形例の回転ホルダ４０では、内側上壁部１０４を除く回転ホルダ４０が、連結部材３０によって回転可能に支持された内側上壁部１０４に対して、所定角度の範囲内において、相対回転可能に構成にされている。換言すると、図９の部分拡大図に示されるように、内側上壁部１０４を除く回転ホルダ４０が、内側上壁部１０４に対して、初期位置に対して矢印で示される範囲内において、相対回転可能に構成にされている。
【００３８】
このため、本変形例では、使用者がトイレットペーパーＴＰ１を引き出したときに、内側上壁部１０４を除く回転ホルダ４０を、トイレットペーパーＴＰ１の回転ホルダ４０からの繰り出し方向に追従して、ベース部材２０に対して相対回転させることができる。換言すると、使用者がトイレットペーパーＴＰ１を引き出したときに、回転ホルダ４０の回転位置が、トイレットペーパーＴＰ１の繰り出し方向に対応して微調整される。したがって、トイレットペーパーＴＰ１の回転ホルダ４０からの繰り出しを良好にすることができると共に、トイレットペーパーＴＰ１を回転ホルダ４０から、より繰り出しやすくすることができる。
【００３９】
なお、上記変形例におけるトイレットペーパーホルダ１００では、図示は省略するが、内側上壁部１０４とベース部材２０の上板２４との間に、回転制限部材５４が設けられている。
【００４０】
また、上記変形例におけるトイレットペーパーホルダ１００では、外側上壁部１０２に複数の切欠部１０２Ａが形成されており、内側上壁部１０４に切欠部１０２Ａに対応する複数のストッパ片１０４Ａが形成されている。これに代えて、外側上壁部１０２に少なくとも１箇所の切欠部１０２Ａを形成すると共に、内側上壁部１０４に切欠部１０２Ａに対応するストッパ片１０４Ａを切欠部１０２Ａと同数であって少なくとも１箇所形成してもよい。
【００４１】
また、本実施の形態及び変形例におけるトイレットペーパーホルダ１０，１００では、回転ホルダ４０がベース部材２０に回転可能に連結しているが、回転ホルダ４０のベース部材２０に対する回転範囲は任意に設定することができる。例えば、回転ホルダ４０の初期位置からの回転角度を、少なくとも左右６０度に設定すれば、図８に示されるトイレ室内の壁面Ｗのさまざまな場所にトイレットペーパーホルダ１０，１００を設置しても、トイレットペーパーＴＰ１を回転ホルダ４０から使用者側へ繰り出すことができる。
【００４２】
また、本実施の形態及び変形例におけるトイレットペーパーホルダ１０，１００では、連結部材３０におけるフランジ３２は略円環板状に形成されているが、連結部材３０から径方向外側へ突出されていれば略円環板状に限らず、例えば、略四角環板状や略六角環板状といった多角環板状であってもよい。
【００４３】
また、本実施の形態及び変形例におけるトイレットペーパーホルダ１０，１００では、連結部材３０は、上下方向を板厚とした略円板状に形成されているが、外周面に螺旋状の雄ねじ溝を設けてもよい。この場合には、連結部材３０の雄ねじ溝と螺合する雌ねじ溝を有するねじ穴を上板２４に形成する。それにより、ねじ穴に連結部材３０をねじ込むことで、連結部材３０はベース部材２０にねじ止めすることができる。また、上板２４に、ねじ穴の代わりに、下方に向けて延出し上下方向を軸方向とする中空の略円柱状であって、内周部に連結部材３０の雄ねじ溝と螺合する雌ねじ溝を有する被連結部を形成してもよい。それにより、被連結部に連結部材を嵌合させて、連結部材３０をベース部材２０にねじ止めすることができる。
【００４４】
また、本実施の形態及び変形例におけるトイレットペーパーホルダ１０，１００では、連結部材３０は、フランジ３２が一体に形成されているが、フランジ３２を別体で構成してもよい。この場合、連結部材３０には外周面に螺旋状の雄ねじ溝が設けられ、フランジ３２は、連結部材３０の雄ねじと螺合する雌ねじ溝を有する貫通孔を中央に備え、上下方向を板厚方向としたナットである。このように、連結部材３０のフランジ３２をナットとして別体で構成することにより、ベース部材２０に回転可能に連結されている回転ホルダ４０を、使用者が初期位置から任意の角度に回転させた後、ナットを締め付けて、回転ホルダ４０を回転しないようにベース部材２０に固定させることができる。これにより、使用者は、自身がトイレットペーパーＴＰ１を回転ホルダ４０から繰り出しやすい角度に、回転ホルダ４０を固定することができる。
【００４５】
また、本実施の形態及び変形例におけるトイレットペーパーホルダ１０，１００では、ベース部材２０と回転ホルダ４０との間に回転制限部材５４が設けられているが、トイレットペーパーホルダ１０，１００において、回転制限部材５４を省略してもよい。この場合には、例えば、連結部材３０におけるフランジ３２の上面を構成する部分（回転ホルダ４０の上壁４４と当接する部分）を、比較的摩擦係数の高い部材で構成してもよい。これにより、連結部材３０（フランジ３２）と回転ホルダ４０（上壁４４）との間に生じる摩擦力によって、回転ホルダ４０がベース部材２０に対して不用意に相対回転することを抑制することができる。また、フランジ３２及び上壁４４に、両者が係合する係合部を形成してもよい。この場合も、回転ホルダ４０がベース部材２０に対して不用意に相対回転することを抑制することができる。
【００４６】
また、本実施の形態及び変形例におけるトイレットペーパーホルダ１０，１００では、ベース部材２０と回転ホルダ４０との間に回転制限部材５４が設けられているが、回転制限部材５４の設置場所はこれに限らない。例えば、ベース部材２０の側板２６Ｌ，２６Ｒと回転ホルダ４０の筒部４２との間に、回転制限部材５４を設けてもよい。
【００４７】
また、本実施の形態及び変形例におけるトイレットペーパーホルダ１０，１００では、回転ホルダ４０の上端部（上壁４４）が、連結部材３０によってベース部材２０（上板２４）に回転可能に連結されている。これに加えて、回転ホルダ４０の下端部（下壁４６）をベース部材２０に回転可能に連結してもよい。これにより、回転ホルダ４０の上下両端部がベース部材２０に回転可能に連結されるため、回転ホルダ４０をベース部材２０に対して良好に相対回転させることができる。
【００４８】
また、本実施の形態及び変形例におけるトイレットペーパーホルダ１０，１００では、回転ホルダ４０の上壁４４に角度調節レバー４４Ｂが設けられているが、トイレットペーパーホルダ１０，１００において、角度調節レバー４４Ｂを省略してもよい。その場合には、回転ホルダ４０、ペーパー保持部５０、ペーパー保持部５０に装着されたトイレットペーパーＴＰ１、紙切板５２が、角度調節レバー４４Ｂの代わりとなる。
【００４９】
また、本実施の形態及び変形例におけるトイレットペーパーホルダ１０，１００では、回転ホルダ４０の下部が、予備トイレットペーパーＴＰ２を収容する収容部４０Ａとされているが、回転ホルダ４０の収容部４０Ａにおいて、予備トイレットペーパーＴＰ２を収容する部分を省略してもよい。すなわち、図１０〜１２に示されるように、本実施の形態のトイレットペーパーホルダ１０において、予備トイレットペーパーＴＰ２を収容する部分を省略して、上下方向におけるトイレットペーパーホルダ１０の体格を小型化してもよい。これにより、トイレ室内において、トイレットペーパーホルダ１０に対する設置スペースが小さい場合でも、トイレットペーパーホルダ１０をトイレ室内の壁面Ｗに設置することができる。
【００５０】
また、本実施の形態及び変形例では、トイレットペーパーホルダ１０，１００がトイレットペーパーＴＰ１を回転可能に保持する器具として構成されているが、トイレットペーパーホルダ１０，１００によって保持するペーパーはこれに限らない。すなわち、トイレットペーパーホルダ１０，１００によって保持するペーパーは、ロール紙であればよい。このため、例えば、キッチンペーパーを回転可能に保持するペーパーホルダに本発明を適用して、当該ペーパーホルダを用途に応じた位置に設置してもよい。
【符号の説明】
【００５１】
１０   トイレットペーパーホルダ（ペーパーホルダ）
２０   ベース部材（固定体）
４０   回転ホルダ（回転体）
４２   筒部
４４   上壁
５０   ペーパー保持部
５２   紙切板
５４   回転制限部材
１００ トイレットペーパーホルダ（ペーパーホルダ）
１０２ 外側上壁部
１０４ 内側上壁部
ＴＰ１ トイレットペーパー（ロール型ペーパー）
Ｗ     壁面
【図１】
2019025284.tif 000003
【図２】
2019025284.tif 000004
【図３】
2019025284.tif 000005
【図４】
2019025284.tif 000006
【図５】
2019025284.tif 000007
【図６】
2019025284.tif 000008
【図７】
2019025284.tif 000009
【図８】
2019025284.tif 000010
【図９】
2019025284.tif 000011
【図１０】
2019025284.tif 000012
【図１１】
2019025284.tif 000013
【図１２】
2019025284.tif 000014
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
壁面に固定される矩形板状の背板と、当該背板の上端部から前方側へ突出された上板と、を含んで構成された固定体と、
水平方向を軸方向としてロール型ペーパーを回転可能に保持するペーパー保持部および当該ロール型ペーパーから引き出された紙を切断する紙切板を収容し且つ側壁の一部が径方向外側へ開放された筒部と、前記筒部の上端部を閉塞する上壁と、が設けられた回転体と、
前記回転体を、上下方向を軸方向として前記上板に回転可能に連結する連結部材と、
を備え、
前記回転体の回転軸上に、当該回転体の中心線、前記上板の中心点、および連結部材の中心点が配置されているペーパーホルダ。
【請求項２】
前記上板と前記回転体との間には、隙間が形成され、当該隙間には、前記上板及び前記回転体に当接された回転制限部材が設けられており、
前記上板と前記回転制限部材との間、及び前記回転体と前記回転制限部材との間に生じる摩擦力によって、所定値以下の回転力での前記回転体の前記固定体に対する相対回転が制限される請求項１に記載のペーパーホルダ。
【請求項３】
前記上壁は、前記筒部の上端部に接続され且つ前記筒部と一体回転可能に構成された外側上壁部と、前記固定体に回転可能に連結された内側上壁部と、を含んで構成され、
前記回転制限部材が、前記上板と前記内側上壁部との間に当接して設けられ、
前記外側上壁部は、内周部に、径方向内側へ開放された１以上の切欠部が形成され、
前記内側上壁部は、外周部に、前記切欠部の幅よりも小さい幅であって、当該切欠部に対応する１以上のストッパ片が形成され、
前記内側上壁部を前記外側上壁部と連結した際に、前記ストッパ片は前記切欠部の内部に配置され、前記外側上壁部が、前記回転体の回転方向において、前記内側上壁部に対して所定範囲で相対回転可能に連結されている請求項２に記載のペーパーホルダ。
【手続補正２】
【補正対象書類名】明細書
【補正対象項目名】０００７
【補正方法】変更
【補正の内容】
【０００７】
本発明の１又はそれ以上の実施形態は、壁面に固定される略矩形板状の背板と、当該背板の上端部から前方側へ突出された上板と、を含んで構成された固定体と、水平方向を軸方向としてロール型ペーパーを回転可能に保持するペーパー保持部および当該ロール型ペーパーから引き出された紙を切断する紙切板を収容し且つ側壁の一部が径方向外側へ開放された筒部と、前記筒部の上端部を閉塞する上壁と、が設けられた回転体と、前記回転体を、上下方向を軸方向として前記上板に回転可能に連結する連結部材と、を備え、前記回転体の回転軸上に、当該回転体の中心線、前記上板の中心点、および連結部材の中心点が配置されているペーパーホルダである。
【手続補正３】
【補正対象書類名】明細書
【補正対象項目名】０００８
【補正方法】変更
【補正の内容】
【０００８】
本発明の１又はそれ以上の実施形態は、前記上板と前記回転体との間には、隙間が形成され、当該隙間には、前記上板及び前記回転体に当接された回転制限部材が設けられており、前記上板と前記回転制限部材との間、及び前記回転体と前記回転制限部材との間に生じる摩擦力によって、所定値以下の回転力での前記回転体の前記固定体に対する相対回転が制限されるペーパーホルダである。
【手続補正４】
【補正対象書類名】明細書
【補正対象項目名】０００９
【補正方法】変更
【補正の内容】
【０００９】
本発明の１又はそれ以上の実施形態は、前記上壁は、前記筒部の上端部に接続され且つ前記筒部と一体回転可能に構成された外側上壁部と、前記固定体に回転可能に連結された内側上壁部と、を含んで構成され、前記回転制限部材が、前記上板と前記内側上壁部との間に当接して設けられ、前記外側上壁部は、内周部に、径方向内側へ開放された１以上の切欠部が形成され、前記内側上壁部は、外周部に、前記切欠部の幅よりも小さい幅であって、当該切欠部に対応する１以上のストッパ片が形成され、前記内側上壁部を前記外側上壁部と連結した際に、前記ストッパ片は前記切欠部の内部に配置され、前記外側上壁部が、前記回転体の回転方向において、前記内側上壁部に対して所定範囲で相対回転可能に連結されているペーパーホルダである。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
壁面に固定される矩形板状の背板と、当該背板の上端部から前方側へ突出された上板と、を含んで構成された固定体と、
水平方向を軸方向としてロール型ペーパーを回転可能に保持するペーパー保持部および当該ロール型ペーパーから引き出された紙を切断する紙切板を収容し且つ側壁の一部が径方向外側へ開放された筒部と、前記筒部の上端部を閉塞する上壁と、が設けられた回転体と、
前記回転体を、上下方向を軸方向として前記上板に回転可能に連結する連結部材と、
前記上板と前記回転体との間に形成された隙間に、前記上板及び前記回転体に当接して設けられた回転制限部材と、
を備え、
前記上板と前記回転制限部材との間、及び前記回転体と前記回転制限部材との間に生じる摩擦力によって、所定値以下の回転力での前記回転体の前記固定体に対する相対回転が制限され、
更に、
前記上壁は、前記筒部の上端部に接続され且つ前記筒部と一体回転可能に構成された外側上壁部と、前記固定体に回転可能に連結された内側上壁部と、を含んで構成され、
前記回転制限部材が、前記上板と前記内側上壁部との間に当接して設けられ、
前記外側上壁部は、内周部に、径方向内側へ開放された１以上の切欠部が形成され、
前記内側上壁部は、外周部に、前記切欠部の幅よりも小さい幅であって、当該切欠部に対応する１以上のストッパ片が形成され、
前記内側上壁部を前記外側上壁部と連結した際に、前記ストッパ片は前記切欠部の内部に配置され、前記外側上壁部が、前記回転体の回転方向において、前記内側上壁部に対して所定範囲で相対回転可能に連結されているペーパーホルダ。
【手続補正２】
【補正対象書類名】明細書
【補正対象項目名】０００７
【補正方法】変更
【補正の内容】
【０００７】
本発明の１又はそれ以上の実施形態は、壁面に固定される矩形板状の背板と、当該背板の上端部から前方側へ突出された上板と、を含んで構成された固定体と、水平方向を軸方向としてロール型ペーパーを回転可能に保持するペーパー保持部および当該ロール型ペーパーから引き出された紙を切断する紙切板を収容し且つ側壁の一部が径方向外側へ開放された筒部と、前記筒部の上端部を閉塞する上壁と、が設けられた回転体と、前記回転体を、上下方向を軸方向として前記上板に回転可能に連結する連結部材と、前記上板と前記回転体との間に形成された隙間に、前記上板及び前記回転体に当接して設けられた回転制限部材と、を備え、前記上板と前記回転制限部材との間、及び前記回転体と前記回転制限部材との間に生じる摩擦力によって、所定値以下の回転力での前記回転体の前記固定体に対する相対回転が制限され、更に、前記上壁は、前記筒部の上端部に接続され且つ前記筒部と一体回転可能に構成された外側上壁部と、前記固定体に回転可能に連結された内側上壁部と、を含んで構成され、前記回転制限部材が、前記上板と前記内側上壁部との間に当接して設けられ、前記外側上壁部は、内周部に、径方向内側へ開放された１以上の切欠部が形成され、前記内側上壁部は、外周部に、前記切欠部の幅よりも小さい幅であって、当該切欠部に対応する１以上のストッパ片が形成され、前記内側上壁部を前記外側上壁部と連結した際に、前記ストッパ片は前記切欠部の内部に配置され、前記外側上壁部が、前記回転体の回転方向において、前記内側上壁部に対して所定範囲で相対回転可能に連結されているペーパーホルダである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】